(57)【要約】      （修正有）【課題】収納が容易で接地導通及び耐静電放電の能力が向上した伝送ケーブルを提供する。【解決手段】伝送ケーブルは、複数本の伝送線と内被覆層８、少なくとも１本の接地線２、導電層３及び外被覆層４で構成される。複数本の伝送線が、横方向に一列に並んで伝送線集合体を構成し、内被覆層がこの伝送線集合体を被覆する。接地線は、内被覆層の外側で伝送線集合体の横方向の一端に配置され、導電層が内被覆層と接地線に被覆されて接地線と電気接続される。外被覆層は扁平状で導電層に被覆されることで、伝送ケーブルが巻いて収納できる。【選択図】図２
0003136926.tif 000002
【実用新案登録請求の範囲】
【請求項１】
複数本の伝送線が横方向に一列に並ぶ少なくとも一つの伝送線集合体と、
上記伝送線集合体を被覆する内被覆層と、
上記内被覆層の外側で、上記伝送線集合体の横方向の少なくとも一端に配置された少なくとも一つの接地線と、
上記内被覆層と上記の少なくとも一本の接地線とを共通に被覆し、上記少なくとも一本の接地線と電気接続される導電層と、
上記導電層を包囲して全体形状を扁平とする外被覆層とを備えたことを特徴とする伝送ケーブル。
【請求項２】
前記複数の伝送線は電源線を含むことを特徴とする請求項１に記載の伝送ケーブル。
【請求項３】
前記複数の伝送線は信号線を含むことを特徴とする請求項１に記載の伝送ケーブル。
【請求項４】
前記少なくとも１本の接地線は、伝送線集合体の横方向の両端に配置された2本の接地線であることを特徴とする請求項１に記載の伝送ケーブル。
【請求項５】
前記外被覆層は、横方向の幅が、その縦方向の高さより大きいことを特徴とする請求項１に記載の伝送ケーブル。
【考案の詳細な説明】
【技術分野】
【０００１】
本考案は、伝送ケーブルに関し、特に、扁平状の伝送ケーブルに関する。
【背景技術】
【０００２】
伝送ケーブルは、幅広く各種類の電子装置に適用され、例えばネットワークサーバーや電話機等の通信設備の連接や、マウスやキーボード等の各種類のコンピュータ周辺機器の接続に利用される。
【０００３】
図１に示すように、従来の伝送ケーブルは、複数の伝送線と導電層７３及び外被覆層７４を備える。それらの伝送線は、複数の電源線７１と複数の信号線７６とがあり、１束に束ねられる。前記導電層７３は、それらの伝送線に被覆される。前記外被覆層７４は、前記導電層７３に被覆される。これにより、前記伝送ケーブルの断面形状が円形とされる。
【０００４】
使用する時、前記伝送ケーブルは、円形である外型のため、敷かれた位置が明白になり、また、整理が容易ではなく、そのため、作業環境が乱れて、足が引っかかられる恐れがあり、ユーザーや前記伝送ケーブルで接続されている電子装置に悪影響を与える。
【０００５】
使用しない時、前記伝送ケーブルは、円形の外形を呈するため、格納に不便であり、また、巻いて収納する時、その体積が大きくて、ばらばらであるため、ユーザーにとって、携帯するときや保管する時、非常に不便である。
【０００６】
また、前記伝送ケーブルの導電層７３は、電磁遮蔽効果を提供できる。しかし、伝送品質に対する要求が高くなるにつれて、前記電磁遮蔽の効果を向上しなければならない。
【０００７】
上記から分かるように、上記従来の伝送ケーブルは、実用上に、改善しなければならない問題点がある。
【０００８】
そのため、本考案者は、上記の諸欠点を解消するため、慎重に研究開発し、また、学理に合わせて、設計が合理的で、有効的に上記の諸欠点を解消できる本考案を提案する。
【考案の開示】
【考案が解決しようとする課題】
【０００９】
本考案の主な目的は、巻いて保管することが容易で、また、その電磁遮蔽や耐静電放電の効果が向上される伝送ケーブルを提供することにある。
【課題を解決するための手段】
【００１０】
本考案に係る伝送ケーブルは、上記の目的を達成するため、主として、複数本の伝送線と内被覆層、少なくとも１本の接地線、導電層及び外被覆層を備える。複数本の伝送線は横方向に一列に並んで少なくとも一つの伝送線集合体を形成し、内被覆層がこの伝送線集合体を被覆し、少なくとも１本の接地線が、内被覆層の外側で伝送線集合体の横方向の少なくとも一端に配置される。前記導電層は、前記内被覆層と前記少なくとも１本の接地線とを共通して被覆し、少なくとも一本の接地線に電気接続される。前記外被覆層は前記導電層を被覆して伝送ケーブルの全体形状を扁平とする。
【００１１】
複数の伝送線は、横方向に沿って一列に並ぶ伝送線集合体を形成するため、伝送ケーブル全体の高さが低下され、また、外被覆層が、扁平状になるように前記導電層に被覆されるため、本考案に係わる伝送ケーブルは、高さが低減されるとともに、巻いて保管し易くなる。
【００１２】
前記導電層が、前記被覆層と前記少なくとも１本の接地線に被覆されるため、本考案に係わる伝送ケーブルは、電磁遮蔽の効果が向上される。
【００１３】
前記少なくとも１本の接地線が、前記導電層に電気的に接続されるため、本考案に係わる伝送ケーブルは、耐静電放電機能が向上される。
【考案を実施するための最良の形態】
【００１４】
以下、図面を参照しながら、本考案の予定の目的を達成するための技術手段や効果について説明する。この説明から本考案の目的や特徴が、明らかになると思うが、それらの図面などは、ただ、参考や説明のためのものであり、本考案は、それに制限されることがない。
【００１５】
図２は、本考案の第１の実施形態に係る伝送ケーブルを示す。この伝送ケーブルは、複数本の伝送線と、内被覆層８と、少なくとも１本の接地線２と、導電層３と、外被覆層４とを備える。
【００１６】
第１の実施形態において、これらの伝送線は、複数の信号線６であり、横方向に沿って一列に並んで伝送線集合体Ａ２を形成する。そのため、その全体の高さが低減される。各伝送線は、導線６１と絶縁層６２を含み、また、各伝送線の絶縁層６２が、対応する導線６１を被覆する。
【００１７】
前記内被覆層８は、絶縁材料からなり、前記伝送線を一体にまとめるように、複数本の伝送線が横一列に並ぶ伝送線集合体Ａ２を被覆される。
【００１８】
前記少なくとも１本の接地線２は、導電材質からなり、前記の内被覆層８の外側で、前記の伝送線集合体Ａ２の横方向の少なくとも一側端に配置される。この実施形態では、2本の接地線２が伝送線集合体Ａ２の横方向の両端にそれぞれ配置される。
【００１９】
前記導電層３は、アルミ箔等の金属で形成され、内被覆層８と接地線２を共通して被覆する。接地線２は、前記導電層３の内面に電気的に接続されることにより、その接地導通機能が向上される。
【００２０】
前記外被覆層４は絶縁材質で扁平形状に形成され、導電層３を被覆することで、伝送ケーブル全体を扁平形状とする。即ち、前記外被覆層４の横方向の幅Ｗが、その縦方向の高さＨより大きい。これにより、本考案に係わる伝送ケーブルは、縦方向の高さＨが従来の伝送ケーブルより小さくて、巻いて収納し易くになる。
【００２１】
使用する時、前記伝送ケーブルが、扁平状外型であるため、より容易に整理されて位置付けられる。特に、図３に示すように、前記伝送ケーブルの使用しない余った部分を巻いて巻線箱５に収納することができ、これにより、作業環境がより整斉になり、足が引っかかることがない。これにより、ユーザーや前記伝送ケーブルによって接続された電子装置に悪影響を与えない。
【００２２】
使用しない時、図３に示すように、前記伝送ケーブルを巻いて、巻線箱５に収納できるため、前記伝送ケーブルの体積が低減され、ユーザーにとって、攜帶や保管が、より便利的になる。
【００２３】
また、前記伝送ケーブルの両端に、それぞれ、第１のコネクタ５１と第２のコネクタ５２が接続される。前記少なくとも１本の接地線２は、前記導電層３に電気的に接続されるため、前記導電層３が、前記少なくとも１本の接地線２を介して、前記第１のコネクタ５１及び／或いは前記第２のコネクタ５２に電気的に接続され、これにより、本考案に係わる伝送ケーブルの電磁遮蔽効果が向上され、その伝送品質も向上される。
【００２４】
図４は、本考案の第２の実施形態を示す。第２の実施形態が第１の実施形態と異なる点は、複数本の伝送線が電源線１として構成されたことである。これら複数本の伝送線は、横方向に一列に並んで伝送線集合体Ａ１を構成しており、全体としての高さが低下される。各伝送線は、導線１１と絶縁層１２とを含み、また、各伝送線の絶縁層１２が、対応する導線１１を被覆する。
【００２５】
図５は、本考案の第３の実施形態を示す。第３の実施形態が第１の実施形態と異なる点は、複数本の伝送線が、複数本の信号線６（例えば、第１の実施例の信号線）と信号線６の外側に設置された複数本の電源線１（例えば、第２の実施例の電源線）で構成されることである。これらの複数本の伝送線が、横方向に一列に並んで伝送線集合体Ａ３を構成するため、全体としての高さが低減される。
【００２６】
図６は、本考案の第４の実施形態である。第４の実施形態が第１の実施形態と異なる点は、伝送線集合体Ａ４が上下2列で構成され、各一列において、複数本の電源線１と複数本の信号線６とが横一列に並んで配列されたことである。この場合も、上記の実施形態と同様に、多くの伝送線を有するにも拘わらず、全体としての高さが低下される。内被覆層８は上下2列で構成される伝送線集合体Ａ４の全体を被覆し、内被覆層８とその外側に配置される接地線２を導電層３が包囲して、接地線２が導電層３に電気接続される。外被覆層４は扁平状に形成されて導電層３を被覆し、その横方向の幅Ｗ２がその縦方向の高さＨ２より大きい。
【００２７】
上記のように、本考案に係わる伝送ケーブルによれば、次の利点がある。
【００２８】
１．複数本の伝送線が、横方向に一列に並んで少なくとも一つの伝送線集合体を形成していることにより、全体としての高さが低減され、また、外被覆層が、扁平状になるように導電層に被覆されているため、本考案に係わる伝送ケーブルの高さが低減されて、整理や携帯或いは保管に便利である。
【００２９】
２．複数本の伝送線が横一列に並ぶ伝送線集合体を内被覆層で被覆しているため、外被覆層で被覆されるまでに、伝送線集合体の一体構造が維持され、全体が扁平とする伝送ケーブルの製造が容易となる。
【００３０】
３．少なくとも１本の接地線が、導電層の内面に電気的に接続されるため、その接地導通の能力が向上され、本考案に係わる伝送ケーブルは、耐静電放電の能力が向上され、また、導電層が設置されることにより、本考案の電磁遮蔽効果が向上されて、伝送品質が向上される。
【００３１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内にある。
【図面の簡単な説明】
【００３２】
【図１】従来の伝送ケーブルの断面図。
【図２】本考案に係わる伝送ケーブルの第１の実施例の断面図。
【図３】本考案に係わる伝送ケーブルの使用状態を示す図。
【図４】本考案に係わる伝送ケーブルの第２の実施例の断面図。
【図５】本考案に係わる伝送ケーブルの第３の実施例の断面図。
【図６】本考案に係わる伝送ケーブルの第４の実施例の断面図。
【符号の説明】
【００３３】
〔従来〕
７１      電源線
７３      導電層
７４      外被覆層
７６      信号線
〔本考案〕
１      電源線
１１      導線
１２      絶縁層
Ａ１      伝送線層
Ａ３      伝送線層
Ａ４      伝送線層
２      接地線
３      導電層
４      外被覆層
５      巻線箱
５１      第１のコネクタ
５２      第２のコネクタ
６      信号線
６１      導線
６２      絶縁層
８      内被覆層
Ａ２      伝送線層
Ｈ      縦方向の高さ
Ｈ２      縦方向の高さ
Ｗ      横方向の幅
Ｗ２      横方向の幅
【図１】
0003136926.tif 000003
【図２】
0003136926.tif 000004
【図３】
0003136926.tif 000005
【図４】
0003136926.tif 000006
【図５】
0003136926.tif 000007
【図６】
0003136926.tif 000008